(57)【要約】【課題】有機ＥＬ素子の発光を効率良く取り出すことにより、有機ＥＬパネルの輝度向上、駆動電圧の低減、有機ＥＬ素子の寿命延長を図る。【解決手段】透明基材１上に形成された有機ＥＬ素子１０の透明導電膜よりなる陽極２と透明基材１との間に反射防止膜５を設けた有機ＥＬパネル。反射防止膜５により有機ＥＬ素子１０からの光の反射が防止され、有機ＥＬ素子１０の発光を効率良く取り出すことができるようになる。【選択図】図１
2006012726.tif 000002
【特許請求の範囲】
【請求項１】
透明基材と、該透明基材上に形成された有機電界発光素子とを有する有機電界発光パネルにおいて、
該有機電界発光素子と該透明基材との間に、該有機電界発光素子からの光の反射を防止する反射防止膜を設けたことを特徴とする有機電界発光パネル。
【請求項２】
請求項１において、該有機電界発光素子は、有機発光層を介して積層された１対の電極を有し、該１対の電極のうち、少なくとも前記透明基材側の電極が透明電極であり、該透明電極と透明基材との間に前記反射防止膜が形成されていることを特徴とする有機電界発光パネル。
【請求項３】
請求項２において、該反射防止膜は、前記透明電極よりも屈折率が低い１層の低屈折率層からなることを特徴とする有機電界発光パネル。
【請求項４】
請求項３において、該屈折率層は前記透明基材側ほど屈折率が小さくなるように、厚さ方向で屈折率が変化することを特徴とする有機電界発光パネル。
【請求項５】
請求項２において、該反射防止膜は、前記透明電極よりも屈折率が低い複数の低屈折率層の積層膜であり、該積層膜において、前記透明基材側の低屈折率層ほど屈折率が小さいことを特徴とする有機電界発光パネル。
【請求項６】
請求項２において、該反射防止膜は、前記透明電極よりも低屈折率の低屈折率層と、該低屈折率層よりも屈折率の高い高屈折率層とが複数積層された積層膜であることを特徴とする有機電界発光パネル。
【請求項７】
請求項１ないし６のいずれか１項において、該反射防止膜が設けられることにより、前記透明基材の有機電界発光素子側の面での光の反射量が、該反射防止膜が設けられていない場合の１／２以下とされていることを特徴とする有機電界発光パネル。
【発明の詳細な説明】
【技術分野】
【０００１】
本発明は、透明基材上に有機電界発光（ＥＬ）素子が形成された有機電界発光（ＥＬ）パネルに係り、特に有機ＥＬ素子の発光を効率的に取り出すことにより、発光効率の向上、駆動電圧の低減、有機ＥＬ素子の寿命延長を図る有機ＥＬパネルに関する。
【背景技術】
【０００２】
近年、消費電力が低く、薄肉化が可能であることから、有機ＥＬ素子を発光素子とする有機ＥＬパネルが各種の表示装置の分野で注目されている。
【０００３】
有機ＥＬパネルは、通常、図３に示す如く、ガラス基板等の透明基材１上に、透明導電膜よりなる陽極２、有機発光層３及び金属膜よりなる陰極４がこの順で積層された有機ＥＬ素子１０が形成されたものである。通常、有機発光層３は、陽極２側の第１の有機膜と陰極４側の第２の有機膜との積層構造とされている。このような有機ＥＬパネルでは、陽極２と陰極４との間に電圧を印加すると、有機発光層３において、より具体的には第１の有機膜と第２の有機膜との界面付近において、電子とホール（正孔）が結合し、発光が得られる。この発光は陽極２の透明導電膜及び透明基材１を透過して外部に放出される。
【０００４】
従って、例えば、陽極２と陰極４をストライプ状に多数本互いに直交配置し、電圧を印加する陽極２及び陰極４を選択してその交差部分に直流電流を流すと、その部分が発光し、所望の文字、図柄を表示することができる。
【０００５】
従来、陽極２の透明導電膜としては、一般にＩｎ２Ｏ３にＳｎをドープしたＩＴＯ薄膜が用いられる。また、有機発光層３の第１の有機膜の材料には、例えばテトラフェニルジアミン（ＴＰＤ）などのホール輸送材料が、また、第２の有機膜の材料には、アルミキノリノール錯体（Ａｌｑ３）などの蛍光物質が用いられている。また、陰極４の材料としては、Ａｌ，Ｍｇ，Ｍｇ／Ａｌ合金などの仕事関数の小さな金属が用いられている。なお、有機発光層（第２の有機膜）３と陰極４との間には、更に有機発光層（第２の有機膜）３との仕事関数差の小さい第３の有機膜（電子注入層）が形成される場合もある。
【発明の開示】
【発明が解決しようとする課題】
【０００６】
このような有機ＥＬパネルにあっては、有機発光層で発生した発光は、図４に示す如く、一部は有機発光層（屈折率約２．０程度）から透明導電膜（ＩＴＯで屈折率約１．９程度）よりなる陽極及び透明基材（ガラス基板で屈折率約１．５程度）をそのまま透過して外部（空気の屈折率は１．０）に放出されるが、一部は透明基材表面で反射し、また一部は陽極と透明基材との界面で反射する。また、有機発光層から陰極側へ放射され、有機発光層と陰極との界面で反射される光もある。特に、陽極と透明基材との屈折率差は大きく、このため、陽極と透明基材との界面で反射することにより、有機ＥＬパネル表面から取り出せず、従って発光として有効利用されてない光量が多い。通常の有機ＥＬパネルでは、このような有機ＥＬパネル内の各層間の反射により、有機発光層で得られた発光のうちの一部しか取り出されておらず、このことが光の取り出し効率と発光層の内部量子効率との積で表される発光効率の向上を阻む大きな原因となっている。
【０００７】
一方で、有機ＥＬパネルに限らず、すべての分野においては、省エネルギーの観点から、使用エネルギーのより一層の低減が望まれている。
【０００８】
従って、有機ＥＬパネルにおいては、光の取り出し効率を高め、発光を有効活用することで、所定の輝度の発光を得るための有機ＥＬ素子の駆動電圧を低減することが切望されている。また、有機ＥＬ素子の駆動電圧の低減は、有機ＥＬ素子への負荷を軽減して有機ＥＬ素子の寿命の延長にも有効である。
【０００９】
本発明は上記従来の実情に鑑みてなされたものであって、有機ＥＬ素子の発光を効率良く取り出すことができ、輝度向上、駆動電圧の低減、有機ＥＬ素子の寿命延長を図ることが可能な有機ＥＬパネルを提供することを目的とする。
【課題を解決するための手段】
【００１０】
本発明の有機ＥＬパネルは、透明基材と、該透明基材上に形成された有機ＥＬ素子とを有する有機ＥＬパネルにおいて、該有機ＥＬ素子と該透明基材との間に、該有機ＥＬ素子からの光の反射を防止する反射防止膜を設けたことを特徴とする。
【００１１】
本発明の有機ＥＬパネルであれば、有機ＥＬ素子と透明基材との間に形成した反射防止膜により、有機ＥＬ素子からの光の反射が防止され、有機ＥＬ素子の発光を効率良く取り出すことができるようになる。
【００１２】
本発明において、有機ＥＬ素子は、有機発光層を介して積層された１対の電極を有し、該１対の電極のうち、少なくとも前記透明基材側の電極が透明電極であり、該透明電極と透明基材との間に前記反射防止膜が形成されていることが好ましい。
【００１３】
この場合において、反射防止膜は、次のような構成とすることができる。
(1)  前記透明電極よりも屈折率が低い１層の低屈折率層からなる反射防止膜。この屈折率層は前記透明基材側ほど屈折率が小さくなるように、厚さ方向で屈折率が傾斜しているものであっても良い。
(2)  前記透明電極よりも屈折率が低い複数の低屈折率層の積層膜であり、該積層膜において、前記透明基材側の低屈折率層ほど屈折率が小さい反射防止膜。
(3)  前記透明電極よりも低屈折率の低屈折率層と、該低屈折率層よりも屈折率の高い高屈折率層とが複数積層された積層膜よりなる反射防止膜。
【００１４】
本発明においては、このような反射防止膜が設けられることにより、前記透明基材の有機ＥＬ素子側の面での光の反射量が、該反射防止膜が設けられていない場合の１／２以下とされていることが好ましい。
【発明の効果】
【００１５】
本発明によれば、有機ＥＬ素子の発光の取り出し効率が高く、このため発光効率が高められ、これにより、輝度向上、駆動電圧の低減、有機ＥＬ素子の寿命延長を図ることができる。
【発明を実施するための最良の形態】
【００１６】
以下に図面を参照して本発明の有機ＥＬパネルの実施の形態を詳細に説明する。
【００１７】
図１は本発明の有機電界発光パネルの実施の形態を示す模式的な断面図であり、図２は本発明に係る反射防止膜の構成例を示す模式的な断面図である。なお、図２は陽極、反射防止膜及び透明基材の積層部分のみを示し、有機ＥＬ素子のその他の部材は図示を省略してある。
【００１８】
本発明の有機ＥＬパネルは、図１に示す如く、透明基材１と有機ＥＬ素子１０との間に反射防止膜５を設けた点が、図３に示す従来の有機ＥＬパネルと異なり、その他の構成は同様の構成とされている。図１において、図３に示す部材と同一機能を奏する部材には同一符号を付してある。
【００１９】
本発明に係る反射防止膜５は、有機ＥＬ素子１０の有機発光層３で得られ、陽極２を透過してくる光の透明基材１との界面での反射を防止し得るようなものであれば良く、特に制限はないが、陽極２を構成するＩＴＯ（屈折率約１．９）等の透明導電膜より屈折率が低く、陽極２の屈折率とガラス基板（屈折率約１．５）等の透明基材１の屈折率と中間の屈折率を有する材料より構成される。従って、反射防止膜５の構成材料としては、通常、屈折率１．８７〜１．５５程度のもの、好ましくは屈折率１．８５〜１．６程度のものが挙げられる。
【００２０】
このような屈折率を有する反射防止膜材料としては、Ｙ２Ｏ３，ＴｉＯｘ，ＳｎＯ２，ＺｒＯ２，ＺｎＯ，ＭｇＯｘ，Ａｌ２Ｏ３，ＳｉＯ２等の金属酸化物の１種又は２種以上、或いはこれらの金属酸化物と、アクリル系、ウレタン系、エポキシ系、シリコーン系等の有機バインダー樹脂の１種又は２種以上とを組み合わせたものなどを採用することができる。
【００２１】
反射防止膜５は、図２（ａ）に示す如く、一層の反射防止膜５Ａよりなる単層構造のものであっても良く、図２（ｂ）に示す如く、複数の層を積層した積層構造の反射防止膜５Ｂであっても良い。
【００２２】
単層構造の反射防止膜５Ａとしては、単一材料よりなり、屈折率分布のない、屈折率１．７５〜１．７０程度の反射防止膜であっても良く、陽極２側から透明基材１側へ向けて、屈折率が次第に小さくなるように、屈折率がその膜厚方向で変化するものであっても良い。例えば、陽極２近傍では屈折率１．８９〜１．８程度で、透明基材１近傍では屈折率１．６５〜１．５５程度となるように屈折率が膜厚方向に傾斜した反射防止膜が挙げられる。このような反射防止膜は、スパッタ成膜法等による反射防止膜の成膜工程において、ターゲット組成を変化させるなどの方法で形成することができる。
【００２３】
また、積層構造の反射防止膜としては、図２（ｂ）に示す如く、陽極２側から透明基材１に向けて屈折率が小さくなるように反射防止層５ａ〜５ｃを形成したものなどが挙げられる。例えば、図２（ｂ）において、各反射防止層５ａ〜５ｃの屈折率を
反射防止層５ａ：１．８７〜１．８３
反射防止層５ｂ：１．７５〜１．６５
反射防止層５ｃ：１．６５〜１．５５
としたものが挙げられる。
【００２４】
また、屈折率の低い低屈折率層と屈折率の高い高屈折率層とを複数組み合わせたものであっても良い。
【００２５】
なお、積層構造の反射防止膜の場合、その積層数に特に制限はなく、２層或いは４層以上であっても良い。通常の場合、反射防止性能と、成膜コスト、反射防止膜の薄膜化との兼ね合いから、２〜５層程度の積層構造とされる。
【００２６】
反射防止膜５の膜厚は、反射防止膜が単層構造であるか積層構造であるかによっても異なるが、必要な反射防止性能を得ることができれば良く、通常の場合、単層構造であれば７０〜９０ｎｍ程度の膜厚に、また、積層構造であれば、１層当たり７０〜９０ｎｍ程度で、合計で２１０〜６３０ｎｍ程度の膜厚に形成される。
【００２７】
本発明においては、このような反射防止膜５を形成することにより、反射防止膜５を形成しない場合に比べて、透明基材１と陽極２との間の光の反射量を１／２以下に抑制することが好ましく、これにより、輝度の向上、駆動電圧の低減、有機ＥＬ素子の寿命延長を確実に図ることができる。
【００２８】
このような反射防止膜は、スパッタ法、蒸着法等のドライ成膜法や塗布法等のウェット成膜法等により形成することができるが、特にスパッタ法等のドライ成膜法を採用した場合には、反射防止膜の成膜後、透明導電膜よりなる陽極の成膜を連続して行うことができ、工業的に有利である。
【００２９】
なお、本発明の有機ＥＬパネルにおいて、透明基材や有機ＥＬ素子を構成する陽極、有機発光層、及び陰極としては従来と同様のものを採用することができる。
【００３０】
透明基材１としては、通常、ガラス基板が用いられるが、石英や有機樹脂フィルムであっても良い。透明基材の厚さは、通常、強度の確保と薄肉化の面から５０μｍ〜２ｍｍ程度とされる。
【００３１】
陽極２を構成する透明導電膜としては、ＩＴＯ、ＩＺＯ（亜鉛ドープ酸化インジウム）等が用いられ、通常、その厚さは１００〜５００ｎｍ程度である。
【００３２】
有機発光層３としては、前述の如く、一般的には、陽極側から正孔注入・輸送性の第１の有機膜、及び発光及び電子注入・輸送性の第２の有機膜との積層構造とされるが、更に、この上に電子注入・輸送性の有機膜を形成しても良い。正孔注入層、正孔輸送層、発光層、電子輸送層、電子注入層が各々別の有機膜で構成されていても良い。この有機発光層３の厚さは通常８０〜１６０ｎｍ程度である。
【００３３】
また、陰極４としては、電子注入を効果的に行うために、低仕事関数の物質として、例えば、Ｋ、Ｌｉ、Ｎａ、Ｍｇ、Ｌａ、Ｃｅ、Ｃａ、Ｓｒ、Ｂａ、Ａｌ、Ａｇ、Ｉｎ、Ｓｎ、Ｚｎ、Ｚｒ等の金属元素単体、又は安定性を向上させるためにそれらを含む２成分、３成分の合金系を用いることが好ましい。合金系としては、例えばＡｇ・Ｍｇ（Ａｇ：１〜２０ａｔ％）、Ａｌ・Ｌｉ（Ｌｉ：０．５〜１０ａｔ％）、Ｉｎ・Ｍｇ（Ｍｇ：５０〜８０ａｔ％）、Ａｌ・Ｃａ（Ｃａ：５〜２０ａｔ％）等が好ましい。陰極の厚さは通常５０〜５００ｎｍ程度である。
【００３４】
ただし、本発明に係る有機ＥＬ素子は、何らこのような構成のものに限定されず、陽極２と有機発光層３との間、或いは有機発光層３と陰極４との間に更に別の機能層が介在されていても良い。また、陰極４上に保護層が設けられていても良い。
【００３５】
以下に実験例を挙げて本発明の効果を示す。
【００３６】
実験例１（比較例）
透明基材としてガラス板（屈折率１．５）を用い、この上に、陽極として厚さ１５０ｎｍのＩＴＯ膜（屈折率１．９）を形成したサンプルについて、各波長の光の反射率を測定し、結果を表１に示した。
【００３７】
実験例２（本発明例）
実験例１において、透明基材と陽極との間に図２（ａ）に示すような単層の反射防止膜５Ａをスパッタ法により設けたこと以外は同様にしてサンプルを作製し、同様に各波長の光の反射率を測定し、結果を表１に示した。
【００３８】
なお、この反射防止膜５Ａは、厚さ８０ｎｍのＭｇＯ膜（屈折率１．７３）よりなるものである。
【００３９】
実験例３（本発明例）
実験例１において、透明基材と陽極との間に、図２（ｂ）に示す如く、３層積層構造の反射防止膜５Ｂを設けたこと以外は同様にしてサンプルを作製し、同様に各波長の光の反射率を測定し、結果を表１に示した。
【００４０】
なお、この反射防止膜５Ｂは、陽極２側から厚さ７４ｎｍのＹ２Ｏ３膜（屈折率１．８５）５ａ、厚さ８０ｎｍのＡｌ３Ｏ３／ＺｒＯ２膜（屈折率１．７）５ｂ及び厚さ８６ｎｍのＡｌ２Ｏ３膜（屈折率１．６）よりなるものである。
【００４１】
【表１】
2006012726.tif 000003
【００４２】
表１より、有機ＥＬ素子の陽極と透明基材との間に反射防止膜を設けた本発明の有機ＥＬパネルによれば、有機ＥＬ素子と透明基材との間の光の反射が防止され、有機ＥＬ素子の発光を効率良く取り出すことができ、高輝度で駆動電圧の低い有機ＥＬパネルが実現されることが分かる。
【図面の簡単な説明】
【００４３】
【図１】本発明の有機ＥＬパネルの実施の形態を示す断面図である。
【図２】本発明に係る反射防止膜の構成例を示す断面図である。
【図３】従来の有機ＥＬパネルの構成を示す断面図である。
【図４】従来の有機ＥＬパネルの有機発光層の発光の反射を示す説明図である。
【符号の説明】
【００４４】
１  透明基材
２  陽極
３  有機発光層
４  陰極
５，５Ａ，５Ｂ  反射防止膜
１０  有機ＥＬ素子
【図１】
2006012726.tif 000004
【図２】
2006012726.tif 000005
【図３】
2006012726.tif 000006
【図４】
2006012726.tif 000007